(57)【要約】【課題】携帯端末が画像形成装置と無線通信することなく、携帯端末から文書ファイルを指定して簡単に画像形成装置に印刷させる。【解決手段】携帯端末は、サーバーに記憶された文書ファイルの指定を受け付け、二次元コード作成部により、指定された文書ファイルのＵＲＬを示す二次元コードを作成し、二次元コード配置画面に配置して表示する。画像形成装置の二次元コード読み取り部により、原稿読み取り部を介して二次元コード配置画面の二次元コードが読み取られると、画像形成装置の印刷処理部は、二次元コードが示すＵＲＬにアクセスして、指定された文書ファイルをサーバーから取得して印刷する。【選択図】図５
2018001534.tif 000002
【特許請求の範囲】
【請求項１】
文書ファイルを記憶したネットワーク上のサーバーにアクセス可能な携帯端末と、前記ネットワーク上の前記サーバーにアクセス可能な画像形成装置とを備えた画像形成システムであって、
前記携帯端末は、
前記サーバーに記憶された前記文書ファイルの指定を受け付ける操作部と、
指定された前記文書ファイルの前記ネットワーク上のアドレスを示す二次元コードを作成する二次元コード作成部と、
作成された前記二次元コードを二次元コード配置画面に配置する二次元コード配置部と、
前記二次元コード配置画面を表示する表示部と
を具備し、
前記画像形成装置は、
載置された原稿を光学的に読み取る原稿読み取り部と、
二次元コードの読み取り指示を受け付けて、前記原稿読み取り部を介して前記二次元コード配置画面の前記二次元コードを読み取る二次元コード読み取り部と、
前記二次元コード読み取り部により読み取られた前記二次元コードが示す前記ネットワーク上のアドレスにアクセスして、指定された前記文書ファイルを前記サーバーから取得して印刷する印刷処理部と
を具備する
ことを特徴とする画像形成システム。
【請求項２】
前記二次元コード配置部は、
複数の前記二次元コードを１画面内に配置し、
前記二次元コード読み取り部は、
前記原稿読み取り部による１回の読み取り動作で前記１画面内に表示された前記複数の前記二次元コードを読み取る
ことを特徴とする請求項１に記載の画像形成システム。
【請求項３】
前記二次元コード配置部は、
複数の前記二次元コードを複数ページに分けて前記二次元コード配置画面に配置し、
前記二次元コード読み取り部は、
前記原稿読み取り部により前記二次元コード配置画面のページ毎に複数の前記二次元コードを読み取る
ことを特徴とする請求項１又は２に記載の画像形成システム。
【請求項４】
前記携帯端末は、
光を検出する光検出部と、
前記光検出部によって前記原稿読み取り部の読み取り動作に伴う光を検出する度に、前記二次元コード配置画面に次ページがあるか否かを判断し、次ページがある場合には自動的に前記次ページを表示させ、前記次ページがない場合には前記二次元コードの表示を終了させるページ送り部とを備え、
前記画像形成装置の前記二次元コード読み取り部は、
前記二次元コードの読み取り指示を受け付けると、前記二次元コードの表示が終了するまで繰り返し前記原稿読み取り部を介して前記読み取り動作を行う
ことを特徴とする請求項１から３までのいずれか１項に記載の画像形成システム。
【請求項５】
前記印刷処理部は、
印刷が指示された複数の前記文書ファイルが種別の同じ文書である場合に、同一の印刷設定を受け付ける
ことを特徴とする請求項１から４までのいずれか１項に記載の画像形成システム。
【請求項６】
前記印刷処理部は、
印刷が指示された複数の前記文書ファイルに種別の異なる文書が含まれている場合に、複数の前記文書ファイルに対して個別の印刷設定を受け付ける
ことを特徴とする請求項１から５までのいずれか１項に記載の画像形成システム。
【請求項７】
前記二次元コード作成部は、
指定された前記文書ファイルの取得にＩＤ及びパスワードが必要な場合には、前記ＩＤ及びパスワードを前記二次元コードにさらに含める
ことを特徴とする請求項１から６までのいずれか１項に記載の画像形成システム。
【発明の詳細な説明】
【技術分野】
【０００１】
本発明は、文書ファイルを記憶したネットワーク上のサーバーにアクセス可能な携帯端末と、ネットワーク上のサーバーにアクセス可能な画像形成装置とを備えた画像形成システムに関する。
【背景技術】
【０００２】
近年、画像形成装置においては、ＱＲコード（登録商標）等の二次元コードを印刷したり、印刷された二次元コードを読み取って印刷条件を変えたりする技術が提案されている。例えば、画像形成装置において、Ｅメールアドレス等の個人情報や画像データの保存先を示した二次元コードを作成して画像データと共に印刷したり、用紙種別を示す二次元コードが印刷された記録用紙から二次元コードを読み取って印刷条件を変えたりすることが行われている（例えば、特許文献１〜４を参照）。
【０００３】
また、携帯端末が広く普及したことにより、画像形成装置が無線通信により携帯端末からの操作を受け付けて文書ファイルを印刷することも行われている。
【先行技術文献】
【特許文献】
【０００４】
【特許文献１】特開2007-129586号公報
【特許文献２】特開2008-166919号公報
【特許文献３】特開2008-263469号公報
【特許文献４】特開2010-008731号公報
【発明の概要】
【発明が解決しようとする課題】
【０００５】
しかしながら、従来の技術では、携帯端末から画像形成装置に印刷指示を出すためには、携帯端末と画像形成装置とが無線通信を行う必要があった。そのため、例えばオフィスのように複数の画像形成装置が設置されている環境では、使用する画像形成装置が変わる度に携帯端末で無線通信の初期設定を行う必要があり、操作が煩雑であるという問題があった。
【０００６】
本発明は上記課題に鑑みてなされたものであり、携帯端末が画像形成装置と無線通信することなく、携帯端末から文書ファイルを指定して簡単に画像形成装置に印刷させることができる技術を提供することを目的とする。
【課題を解決するための手段】
【０００７】
本発明の画像形成システムは、文書ファイルを記憶したネットワーク上のサーバーにアクセス可能な携帯端末と、前記ネットワーク上の前記サーバーにアクセス可能な画像形成装置とを備えた画像形成システムであって、前記携帯端末は、前記サーバーに記憶された前記文書ファイルの指定を受け付ける操作部と、指定された前記文書ファイルの前記ネットワーク上のアドレスを示す二次元コードを作成する二次元コード作成部と、作成された前記二次元コードを二次元コード配置画面に配置する二次元コード配置部と、前記二次元コード配置画面を表示する表示部とを具備し、前記画像形成装置は、載置された原稿を光学的に読み取る原稿読み取り部と、二次元コードの読み取り指示を受け付けて、前記原稿読み取り部を介して前記二次元コード配置画面の前記二次元コードを読み取る二次元コード読み取り部と、前記二次元コード読み取り部により読み取られた前記二次元コードが示す前記ネットワーク上のアドレスにアクセスして、指定された前記文書ファイルを前記サーバーから取得して印刷する印刷処理部とを具備することを特徴とする。
また、前記二次元コード配置部は、複数の前記二次元コードを１画面内に配置し、前記二次元コード読み取り部は、前記原稿読み取り部による１回の読み取り動作で前記１画面内に表示された前記複数の前記二次元コードを読み取ってもよい。
また、前記二次元コード配置部は、複数の前記二次元コードを複数ページに分けて前記二次元コード配置画面に配置し、前記二次元コード読み取り部は、前記原稿読み取り部により前記二次元コード配置画面のページ毎に複数の前記二次元コードを読み取ってもよい。
また、前記携帯端末は、光を検出する光検出部と、前記光検出部によって前記原稿読み取り部の読み取り動作に伴う光を検出する度に、前記二次元コード配置画面に次ページがあるか否かを判断し、次ページがある場合には自動的に前記次ページを表示させ、前記次ページがない場合には前記二次元コードの表示を終了させるページ送り部とを備え、前記画像形成装置の前記二次元コード読み取り部は、前記二次元コードの読み取り指示を受け付けると、前記二次元コードの表示が終了するまで繰り返し前記原稿読み取り部を介して前記読み取り動作を行ってもよい。
また、前記印刷処理部は、印刷が指示された複数の前記文書ファイルが種別の同じ文書である場合に、同一の印刷設定を受け付けてもよい。
また、前記印刷処理部は、印刷が指示された複数の前記文書ファイルに種別の異なる文書が含まれている場合に、複数の前記文書ファイルに対して個別の印刷設定を受け付けてもよい。
また、前記二次元コード作成部は、指定された前記文書ファイルの取得にＩＤ及びパスワードが必要な場合には、前記ＩＤ及びパスワードを前記二次元コードにさらに含めてもよい。
【発明の効果】
【０００８】
本発明によれば、携帯端末が画像形成装置と無線通信することなく、携帯端末から文書ファイルを指定して簡単に画像形成装置に印刷させることができる。
【図面の簡単な説明】
【０００９】
【図１】本発明に係る実施形態の画像形成システムのシステム構成図である。
【図２】図１に示す携帯端末の構成を示す機能ブロック図である。
【図３】図２に示す二次元コード作成部により作成された二次元コードを配置した二次元コード配置画面の表示例である。
【図４】図１に示す画像形成装置の構成を示す機能ブロック図である。
【図５】図１に示す画像形成システムの画像形成動作の流れを示すフローチャートである。
【図６】図５に示す二次元コード読み取り処理の流れを示すフローチャートである。
【発明を実施するための形態】
【００１０】
以下、図を参照して本発明の実施形態を詳細に説明する。なお、以下の実施形態において、同様の機能を示す構成には、同一の符号を付してある。
【００１１】
図１を参照すると、本実施形態の画像形成システム１００は、インターネット等のネットワーク４上のサーバー３にアクセス可能な携帯端末１と、ネットワーク４上のサーバー３にアクセス可能な画像形成装置２とを備えている。
【００１２】
サーバー３は、文書ファイル３１を記憶している。文書ファイルには、写真等の画像データや、ドキュメント等のテキストデータ等の種別が異なる文書が含まれる。携帯端末１及び画像形成装置２は、ネットワーク４を介してサーバー３の文書ファイル３１を参照したりダウンロードしたりすることが可能である。
【００１３】
携帯端末１は、スマートフォンやタブレット端末等であり、図２を参照すると、操作部１１と、光検出部１２と、記憶部１３と、通信部１４と、制御部１５とを備えている。
【００１４】
操作部１１は、各種情報を表示する表示部と操作キーを備えたユーザーインターフェースである。表示部は、液晶表示パネルの表面に透明の感圧センサーが設けられた表示部及び入力部として機能するタッチパネルであってもよい。
【００１５】
光検出部１２は、照度センサー等により構成され、光を検出する機能を有する。
【００１６】
記憶部１３は、ＨＤＤや半導体メモリー等の記憶手段であり、ＡＰＰ１３１を記憶している。ＡＰＰ１３１は、制御部１５を後述する二次元コード作成部１５１、二次元コード配置部１５２、及びページ送り部１５３として機能させるためのアプリケーションプログラムである。
【００１７】
通信部１４は、ネットワーク４を介してサーバー３との間で各種データを送受信する機能を有する。
【００１８】
制御部１５は、操作部１１と、光検出部１２と、記憶部１３と、通信部１４とにそれぞれ接続され、携帯端末１の動作制御を実行する。制御部１５は、ＲＯＭ（Read Only Memory）、ＲＡＭ（Random Access Memory）等を備えたマイクロコンピュータ等の情報処理部である。ＲＯＭには携帯端末１の動作制御を行うための制御プログラムが記憶されている。制御部１５は、ＲＯＭに記憶されている制御プログラムを読み出し、制御プログラムをＲＡＭに展開させることで携帯端末１の制御を行う。また、制御部１５は、記憶部１３に記憶されたＡＰＰ１３１を読み出して、ＲＡＭに展開して実行することで、二次元コード作成部１５１と、二次元コード配置部１５２と、ページ送り部１５３として機能する。
【００１９】
二次元コード作成部１５１は、操作部１１によってサーバー３に記憶された文書ファイル３１の指定を受け付け、指定された文書ファイル３１のネットワーク４上のアドレスを示す二次元コード５２（図３を参照）を作成する機能を有する。なお、指定された文書ファイル３１のダウンロードにＩＤ（identification）やパスワードが必要な場合には、二次元コード作成部１５１は、文書ファイル３１のＵＲＬと共に、ＩＤやパスワードを含めた二次元コード５２を作成する。なお、以下では、ネットワーク４上のアドレスとしてＵＲＬ（Uniform Resource Locator）を例に説明する。
【００２０】
二次元コード作成部１５１により作成された二次元コード５２は、名前を付けて記憶部１３に記憶させておくことができる。このように、二次元コード５２を記憶しておくことにより、文書ファイル３１そのものを携帯端末１に記憶しておく必要がないので、ＳＤカードなどの不揮発性メモリーの保存領域が枯渇することを軽減することができる。また、作成した二次元コード５２を記憶させておくことで、すぐに二次元コード５２を表示させて画像形成装置２に読み取らせ、文書ファイル３１の複製等を簡単に行うことができる。
【００２１】
二次元コード配置部１５２は、二次元コード作成部１５１により作成された二次元コード５２を二次元コード配置画面Ｇ５０（図３を参照）に配置して、操作部１１に表示させる機能を有する。二次元コード配置部１５２は、複数の二次元コード５２を二次元コード配置画面Ｇ５０に配置することができる。そのため、複数の二次元コード５２を画像形成装置２による１回の読み取り動作で読み取らせることができる。なお、二次元コード配置画面Ｇ５０上に同時に配置できる二次元コード５２の数は、操作部１１の表示画面の大きさと、画像形成装置２が読み取り可能な二次元コード５２の大きさとを考慮して予め設定されている。二次元コード配置画面Ｇ５０に配置する二次元コード５２の数が予め設定された数より多くなった場合には、二次元コード配置部１５２は、複数ページに分けて二次元コード５２を配置する。この場合、二次元コード配置画面Ｇ５０には、「次ページ」ボタンＢ５１が表示される。「次ページ」ボタンＢ５１が押されると、次ページが表示され、次ページに配置された二次元コード５２を確認することができる。
【００２２】
ページ送り部１５３は、二次元コード５２が配置された二次元コード配置画面Ｇ５０が表示されると、光検出部１２を介して画像形成装置２の読み取り動作に伴う光を検出して、二次元コード配置画面Ｇ５０に次ページがあるか否かを判断し、次ページがある場合には次ページを表示させるページ送りを行う機能を有する。具体的には、ページ送り部１５３は、二次元コード配置画面Ｇ５０が表示された状態で、光検出部１２を介して原稿読み取り部２２が照射した光を検出すると、二次元コード配置画面Ｇ５０に次ページがあるか否かを判断する。次ページがある場合には、ページ送り部１５３は、次ページを表示させ、次ページがない場合には、二次元コード配置画面Ｇ５０を閉じて二次元コード５２の表示を終了させる。
【００２３】
図４を参照すると、画像形成装置２は、複写機や複合機であり、操作部２１と、通信部２６と、原稿読み取り部２２と、記憶部２３と、画像処理部２４と、印刷部２５と、制御部２７とを備えている。
【００２４】
操作部２１は、液晶表示パネルの表面に透明の感圧センサーが設けられた表示手段及び入力手段として機能するタッチパネル、印刷枚数等の数値を入力するためのテンキー、設定情報を初期化させる指示を入力するためのリセットキー、複写動作を停止させたりするためのストップキー、印刷動作を開始させる出力指示を入力するためのスタートキー等の各種操作キーを備えたユーザーインターフェースである。
【００２５】
通信部２６は、ＬＡＮ等によりネットワーク４に接続し、サーバー３との間で各種データを送受信する機能を有する。
【００２６】
原稿読み取り部２２は、図示しない原稿給紙装置により給紙されてきた原稿や、ユーザーによってプラテンガラスに載置された原稿に対して光を照射し、その反射光等を受光して原稿画像を光学的に読み取るスキャナーである。
【００２７】
記憶部２３は、半導体メモリーやＨＤＤ（Hard Disk Drive）等の記憶手段であり、原稿読み取り部２２によって読み取られた画像データや、通信部２６によってサーバー３から取得された文書ファイル３１の画像データを記憶する記憶手段である。
【００２８】
画像処理部２４は、画像データに対して所定の画像処理を行う手段である。画像処理部２４では、例えば、拡大縮小処理や、濃度調整、階調調整等の画像改善処理が行われる。
【００２９】
印刷部２５は、記憶部２３に記憶された画像データを文書画像として印刷する印刷手段である。印刷部２５は、例えば、記憶部２３から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００３０】
制御部２７は、操作部２１、原稿読み取り部２２、記憶部２３、画像処理部２４、印刷部２５、通信部２６にそれぞれ接続され、操作部２１から入力された所定の指示情報に応じて装置全体の動作制御を実行する。制御部２７は、ＲＯＭ（Read Only Memory）、ＲＡＭ（Random Access Memory）等を備えたマイクロコンピュータ等の情報処理部である。ＲＯＭには画像形成装置２の動作制御を行うための制御プログラムが記憶されている。制御部２７は、ＲＯＭに記憶されている制御プログラムを読み出し、制御プログラムをＲＡＭに展開させることで、操作部２１から入力された所定の指示情報に応じて装置全体の制御を行う。
【００３１】
また、制御部２７は、二次元コード読み取り部２７１と、印刷処理部２７２として機能する。
【００３２】
二次元コード読み取り部２７１は、原稿読み取り部２２を介して携帯端末１に表示された二次元コード配置画面Ｇ５０の二次元コード５２を読み取ることにより、二次元コードが示す文書ファイル３１のＵＲＬを取得する機能を有する。二次元コード読み取り部２７１は、複数の二次元コード５２を読み取ることができる。例えば、二次元コード配置画面Ｇ５０の１画面内に複数の二次元コード５２が配置されている場合には、二次元コード読み取り部２７１は、原稿読み取り部２２による１回の読み取り動作で、１画面内の複数の二次元コード５２を読み取る。また、複数の二次元コード５２が複数ページに分けて二次元コード配置画面Ｇ５０に配置されている場合には、二次元コード読み取り部２７１は、原稿読み取り部２２により二次元コード配置画面Ｇ５０のページ毎に複数の二次元コード５２を読み取る。なお、二次元コード読み取り部２７１は、原稿読み取り部２２を介して二次元コード５２を読み取った場合、再び原稿読み取り部２２を介して二次元コード５２の読み取り動作を行う。ページ送り部１５３により携帯端末１に表示された二次元コード５２が次ページのものに更新されている場合があるからである。
【００３３】
印刷処理部２７２は、二次元コード読み取り部２７１により二次元コード５２が読み取られると、二次元コード５２が示すＵＲＬにアクセスし、サーバー３から文書ファイル３１を取得する。そして、印刷処理部２７２は、取得した文書ファイル３１のプレビュー表示を行い、操作部２１によって印刷設定を受け付けて文書ファイル３１を印刷する。二次元コード読み取り部２７１により複数の二次元コード５２が読み取られた場合には、印刷処理部２７２は、読み取られた複数の二次元コード５２にそれぞれ対応する複数の文書ファイル３１をプレビュー表示し、複数の文書ファイル３１それぞれに対する印刷設定として同一の印刷設定を受け付ける。そのため、複数の文書ファイル３１に対して繰り返し印刷設定を行わずに済む。なお、例えば専用用紙を必要とする写真データが専用紙を必要としないドキュメントデータに混ざっている場合など、複数の文書ファイル３１の中に種別の異なる文書が混在して同一の印刷設定を行えない場合がある。この場合、印刷処理部２７２は、個別の印刷設定を促す表示を行い、文書ファイル３１毎に印刷設定を受け付ける。また、印刷処理部２７２は、複数の文書ファイル３１をプレビュー表示した際に、個別に文書ファイル３１が指定された場合も、指定された文書ファイル３１に対して個別の印刷設定を受け付けることができる。
【００３４】
具体的に、図５を参照して、上記で説明した画像形成システム１００の画像形成動作の流れを説明する。
【００３５】
まず、携帯端末１において、制御部１５は、操作部１１を介してアプリの起動操作を受け付けて、アプリを起動する（ステップｓ１１）。これにより、制御部１５は二次元コード配置部１５２、二次元コード作成部１５１、ページ送り部１５３として機能する。
【００３６】
つづいて、二次元コード配置部１５２は、操作画面を操作部１１に表示させ、二次元コード５２を作成するか否かの指示を受け付ける（ステップｓ１２）。
【００３７】
二次元コード５２の作成が指示された場合（ステップｓ１２でＹｅｓ）、二次元コード作成部１５１は、ネットワーク４を介してサーバー３にアクセスし、サーバー３に記憶された文書ファイル３１の一覧を操作部１１に表示して（ステップｓ１３）、印刷する文書ファイル３１の指定を受け付ける（ステップｓ１４）。文書ファイル３１は一度に複数指定されてもよい。文書ファイル３１が指定されると、二次元コード作成部１５１は、指定された文書ファイル３１のＵＲＬを取得して、文書ファイル３１のＵＲＬを示す二次元コード５２を作成する（ステップｓ１５）。なお、指定された文書ファイル３１がＩＤやパスワードで保護されている場合には、二次元コード作成部１５１は、ユーザーにＩＤやパスワードの入力を要求し、ＩＤやパスワードを取得して二次元コード５２に含める。
【００３８】
二次元コード５２が作成されると、二次元コード配置部１５２は、二次元コード配置画面Ｇ５０に二次元コード５２を配置し（ステップｓ１６）、次の二次元コード５２を配置するか否かの指示を受け付ける（ステップｓ１７）。
【００３９】
次の二次元コード５２を配置する指示がされた場合には（ステップｓ１７でＹｅｓ）、二次元コード配置部１５２は、ステップｓ１２に処理を戻し、二次元コード配置画面Ｇ５０に配置する二次元コード５２の作成指示を受け付ける。
【００４０】
二次元コード５２の作成が指示されなかった場合には（ステップｓ１２でＮｏ）、二次元コード配置部１５２は、記憶部１３に記憶された二次元コード５２の一覧を表示させる（ステップｓ１８）。二次元コード作成部１５１により作成された二次元コード５２は記憶部１３に記憶してストックしておくことができ、記憶部１３に記憶された二次元コード５２がある場合には、二次元コード５２の一覧が表示される。記憶部１３に記憶された二次元コード５２がない場合には、二次元コード５２が記憶されていない旨を示すエラーメッセージが表示され、ステップｓ１２に処理が戻る。操作部１１を介して二次元コード５２の一覧の中から二次元コード５２が指定されると、二次元コード配置部１５２は、指定された二次元コード５２を二次元コード配置画面Ｇ５０に配置して（ステップｓ１９）、次の二次元コード５２を配置するか否かの指示を受け付ける（ステップｓ１７）。
【００４１】
次の二次元コード５２を配置しない旨が指示されると（ステップｓ１７でＮｏ）、二次元コード配置部１５２は、二次元コード５２が配置された二次元コード配置画面Ｇ５０を操作部１１に表示させる（ステップｓ２０）。
【００４２】
つづいて、ユーザーは、二次元コード配置画面Ｇ５０を原稿読み取り部２２のプラテンガラスに対向させた状態で携帯端末１を原稿読み取り部２２に載置して、画像形成装置２の操作部２１を介して二次元コード５２の読み取り指示を出す。画像形成装置２の二次元コード読み取り部２７１は、操作部２１によって二次元コード５２の読み取り指示を受け付けて、二次元コード５２の読み取り処理を行う（ステップｓ２２）。
【００４３】
二次元コード５２の読み取り処理では、図６に示すように、まず、画像形成装置２の二次元コード読み取り部２７１により原稿読み取り部２２を介してスキャンが行われ（ステップｓ２２１）、二次元コード５２を読み取ったか否かが判断される（ステップｓ２２２）。二次元コード５２を読み取った場合（ステップｓ２２２でＹｅｓ）、二次元コード読み取り部２７１は、二次元コード５２が示すＵＲＬを取得する（ステップｓ２２３）。つづいて、二次元コード読み取り部２７１は、ステップｓ２２１に処理を戻し、再び原稿読み取り部２２を介してスキャンする。原稿読み取り部２２を介してスキャンしたときに、二次元コード５２を読み取れなかった場合には（ステップｓ２２２でＮｏ）、本処理が終了する。
【００４４】
携帯端末１においては、二次元コード配置画面Ｇ５０が表示されると、ページ送り部１５３は、光検出部１２を介して原稿読み取り部２２によるスキャンの照射光を検出するまで待機している（ステップｓ２２４、ステップｓ２２４でＮｏ）。原稿読み取り部２２によりスキャンが行われると、ページ送り部１５３は、光検出部１２を介して原稿読み取り部２２のスキャンに伴う照射光を検出し（ステップｓ２２４でＹｅｓ）、二次元コード配置画面Ｇ５０に次ページがあるか否かを判断する（ステップｓ２２５）。二次元コード配置部１５２により複数ページに分けて二次元コード５２が配置されている場合には、二次元コード配置画面Ｇ５０に次ページが設けられている。次ページがある場合（ステップｓ２２５でＹｅｓ）、ページ送り部１５３は、二次元コード配置画面Ｇ５０における次ページを表示させ（ステップｓ２２６）、ステップｓ２２４に処理を戻し、再び光検出部１２を介して照射光を検出するまで待機する。次ページがない場合には（ステップｓ２２５でＮｏ）、ページ送り部１５３は、二次元コード配置画面Ｇ５０を閉じて二次元コードの表示を終了させ（ステップｓ２２７）、本処理を終了する。
【００４５】
つまり、二次元コード読み取り部２７１は、二次元コード５２の読み取り指示を受け付けると、ページ送り部１５３により二次元コード５２の表示が終了するまで繰り返し、原稿読み取り部２２を介して二次元コード５２の読み取り動作を行う。そして、ページ送り部１５３は、光検出部１２によって原稿読み取り部２２の読み取り動作に伴う光を検出する度に、二次元コード配置画面Ｇ５０に次ページがあるか否かを判断し、次ページがある場合には自動的に次ページを表示させ、次ページがない場合には二次元コード５２の表示を終了させる。これにより、複数ページに分けて二次元コード５２が配置されている場合に、自動的に各ページに配置された二次元コード５２が読み取られるので、ユーザーは携帯端末１を操作する必要がなく、原稿読み取り部２２に携帯端末１を置いたままでよい。
【００４６】
図５に戻り、二次元コード５２の読み取り処理が終了すると、印刷処理部２７２は、ネットワーク４を介して二次元コード５２で示されたＵＲＬにアクセスし、サーバー３から文書ファイル３１を取得する（ステップｓ２３）。複数の二次元コード５２が読み取られている場合には、印刷処理部２７２は、複数の二次元コード５２それぞれが示すＵＲＬに基づいて複数の文書ファイル３１を一括してサーバー３から取得する。
【００４７】
つづいて、印刷処理部２７２は、取得した文書ファイル３１のプレビュー表示を行う（ステップｓ２４）。これにより、ユーザーは、指定した文書ファイル３１が正しいか確認することができる。つづいて、印刷処理部２７２は、操作部２１を介して文書ファイル３１の印刷設定を受け付ける（ステップｓ２５）。印刷処理部２７２は、複数の文書ファイル３１を取得している場合、受け付けた印刷設定を複数の文書ファイル３１全てに反映させるか否か判断する。例えば、印刷処理部２７２は、複数の文書ファイル３１の中に写真データやドキュメントデータのように種別の異なる文書が含まれている場合には、同一の印刷設定を反映させられないと判断し、複数の文書ファイル３１が種別の同じ文書である場合には、同一の印刷設定を反映させられると判断してもよい。同一の印刷設定を反映させられないと判断した場合には、印刷処理部２７２は、個別の印刷設定を促す表示を行い、複数の文書ファイル３１に対して個別の印刷設定を受け付ける。これにより、印刷ミスを防止することができる。
【００４８】
印刷設定の受け付けが終了すると、印刷処理部２７２は、受け付けた印刷設定に従って文書ファイル３１を印刷部２５により印刷して（ステップｓ２６）、本処理を終了する。なお、印刷の終了後、印刷処理部２７２は、取得した文書ファイル３１や読み取った二次元コード５２に関する情報を速やかに削除する。
【００４９】
このように、携帯端末１は、サーバー３に記憶された文書ファイル３１の指定を受け付ける操作部１１と、指定された文書ファイル３１のネットワーク４上のアドレスを示す二次元コード５２を作成する二次元コード作成部１５１と、作成された二次元コード５２を二次元コード配置画面Ｇ５０に配置する二次元コード配置部１５２と、二次元コード配置画面Ｇ５０を表示する表示部（操作部１１）とを具備している。また、画像形成装置２は、載置された原稿を光学的に読み取る原稿読み取り部２２と、二次元コード５２の読み取り指示を受け付けて、原稿読み取り部２２を介して二次元コード配置画面Ｇ５０の二次元コード５２を読み取る二次元コード読み取り部２７１と、二次元コード読み取り部２７１により読み取られた二次元コード５２が示すネットワーク４上のアドレスにアクセスして、指定された文書ファイル３１をサーバー３から取得して印刷する印刷処理部２７２とを具備している。そのため、本実施形態の画像形成システム１００によれば、携帯端末１と画像形成装置２とが無線通信することなく、携帯端末１から文書ファイル３１を指定して簡単に画像形成装置２に印刷させることができ、無線通信設定が不要となる。また、無線通信設定が不要であるので、例えばコンビニエンスストアーに設置された画像形成装置２のように、画像形成装置２が外部ネットワークに接続されている場合であっても、その外部ネットワークに携帯端末１を接続する必要がないので、携帯端末１をウィルスの脅威から守ることができる。
【００５０】
なお、上記では、画像形成装置２の操作部２１によって印刷設定を受け付けたが、携帯端末１が操作部１１によって印刷設定を受け付けてもよい。この場合、二次元コード作成部１５１は、指定された文書ファイル３１のＵＲＬと共に、操作部１１によって受け付けた印刷設定とをまとめて１つの二次元コード５２にする。この場合、画像形成装置２の二次元コード読み取り部２７１により二次元コード５２が読み取られると、印刷処理部２７２は、二次元コード５２が示すＵＲＬから文書ファイル３１を取得して、二次元コード５２が示す印刷設定に従って印刷すればよい。
【００５１】
本発明は上述した実施の形態に限定されるものではなく、本発明の趣旨を逸脱しない範囲で種々様々に変更が可能であることは言うまでもない。
【符号の説明】
【００５２】
１  携帯端末
２  画像形成装置
３  サーバー
４  ネットワーク
１１  操作部
１２  光検出部
１３  記憶部
１４  通信部
１５  制御部
２１  操作部
２２  原稿読み取り部
２３  記憶部
２４  画像処理部
２５  印刷部
２６  通信部
２７  制御部
３１  文書ファイル
５２  二次元コード
１００  画像形成システム
１３１  ＡＰＰ
１５１  二次元コード作成部
１５２  二次元コード配置部
１５３  ページ送り部
２７１  二次元コード読み取り部
２７２  印刷処理部
Ｂ５１  ボタン
Ｇ５０  二次元コード配置画面
【図１】
2018001534.tif 000003
【図２】
2018001534.tif 000004
【図３】
2018001534.tif 000005
【図４】
2018001534.tif 000006
【図５】
2018001534.tif 000007
【図６】
2018001534.tif 000008